(57)【特許請求の範囲】
【請求項１】
ユーザが制御した色で書くための手持ち式筆記用具であって、それぞれが異なる色のインクを保持する複数のインクチャンバを備えるインクカートリッジと、
制御比で前記チャンバからインクを放出するための、前記インクチャンバに連結されたノズルと、
前記ノズルを介してインクの放出を制御するための、前記ノズルに動作可能に連結されたプロセッサとを備え、
前記インクカートリッジ、前記インクジェットノズル、および前記プロセッサはすべて、前記手持ち式筆記用具の細長いハウジングへ組み込まれるとともに、前記ノズルからインクを受け取るための、前記ノズルに連結したミキシングチャンバをさらに備え、前記ミキシングチャンバ内のインクを感知して、該ミキシングチャンバ内のインク量を示す信号を前記プロセッサに出力するための、センサをさらに備える手持ち式筆記用具。
【請求項２】
前記筆記用具の感圧性先端であって、該感圧性先端は、前記プロセッサに動作可能に連結されることによって、該感圧性先端にかかる圧力が所定の閾値よりも高い該感圧性先端によって通知されない限り、該プロセッサが前記ノズルを制御してインクの放出を防ぐことができる、感圧性先端をさらに備える請求項１に記載の筆記用具。
【請求項３】
色をサンプル化し、前記サンプル色を作る３つの基本色成分の特定比を前記プロセッサに出力するための、前記プロセッサに連結されたスキャナであって、前記プロセッサは、前記チャンバからインクを放出するための前記制御比として、前記特定比を使用して、前記筆記用具を用いて前記サンプル色を複製するように構成される、スキャナをさらに備える請求項１に記載の筆記用具。
【請求項４】
手持ち式筆記用具の出力色を制御する方法であって、前記手持ち式筆記用具の細長いハウジング内で、前記出力色の出力インクを調製するために制御比で少なくとも３つのインクチャンバからの異なる色のインクを、ミキシングチャンバに噴出し、ミキシングチャンバにおいて混ぜ合わせることを含み、転写部材を用いて筆記表面に前記出力インクを転写することをさらに含み、前記ミキシングチャンバ内のインクをセンサにより感知して、該ミキシングチャンバ内のインク量を示す信号をノズルを介してインクの放出を制御するためのプロセッサに出力する筆記用具の出力色を制御する方法。
【請求項５】
前記筆記用具の色入力インターフェースを介して前記出力色を特定することをさらに含む請求項４に記載の筆記用具の出力色を制御する方法。
【請求項６】
光学式スキャナを用いて色をサンプル化することによって前記出力色を特定すること、および前記サンプル色と前記出力色を一致させることをさらに備える請求項４に記載の筆記用具の出力色を制御する方法。
【請求項７】
前記出力色を定義するデータを、ホスト電子装置から前記筆記用具へ送信することによって、前記出力色を特定することをさらに含む請求項４に記載の筆記用具の出力色を制御する方法。
【発明の詳細な説明】
【０００１】
【発明の属する技術分野】
本発明は、筆記用具（たとえば、ペン、マーカー、鉛筆、色鉛筆等）の分野に関する。特に、本発明は、カラーインクで書く筆記用具の分野に関する。本発明は、ユーザがインクの色、すなわちペンが書ける色を制御することができるペンまたは筆記用具、および筆記用具の出力色を制御する方法を提供する。
【０００２】
【従来の技術】
筆記用具は、何千年もの間人類にとって重要であった。筆記用具により、人々は思想、出来事、およびアイデアを記録することができる。筆記用具により、人々は図を描き、テキストを説明し、また芸術作品を作り出すことができる。
【０００３】
現代の筆記用具、たとえばペン、鉛筆、マーカー等により、ユーザは、自身が想像することができるあらゆることを書き、また描くことができる。伝統的に、筆記用具により、白地、たとえば用紙に、黒または濃い線を書くことができる。
【０００４】
しかしながら、筆記用具は、色を使用することもできる。たとえば、ペンは、黒、青、赤、または緑等の様々な色で手に入れることができる。マーカーおよび色鉛筆は、スペクトルの各主要色につき１本のマーカーまたは鉛筆を具備する一式で手に入ることが多い。
【０００５】
筆記用具における色の導入には、多くの用途がある。文書は、強調または美的理由のためにいくつかの色にすることができる。絵は、色の使用によりさらなる情報を伝えるために、または美的理由のために、カラーで調合することができる。一色のテキストは、変更が容易に識別されるように別の色で編集することができる。
【０００６】
筆記用具を用いる多くの色の用途が提供されたが、ユーザは、自身の筆記用具で書く色を容易に選択することができることを好むことは明白であろう。過去においてこれは、ユーザが自分の意思で選択して所望の色で書くことができるように、上述のように異なる色の筆記用具（ペン、マーカー、色鉛筆）の一式を提供することによって、達成されてきた。しかしながら、これは、様々な色で作業することができるように、ユーザが筆記用具の完全な一式を購入して持ち運び、または保管することを要する。
【０００７】
代替として、それぞれが異なる色を含むいくつかのインクチュ−ブを具備するペンがある。ペンケーシングから特定のチューブの筆記端部（筆記先端、writing end）を伸ばすことによって、ペンは特定の色で書くことができる。次にペンの色は、そのチュ−ブを引っ込めて、異なる色のインクを含む別のチューブを伸ばすことによって変更される。このように、単一の筆記用具が、２色または３色もしくはそれ以上の異なる色で書くことができる。
【０００８】
このようなペンは、単一の筆記用具で複数の色を提供するが、利用可能な色数は依然として限られている。このようなペンに加えられる色オプションが増えるにつれ、ペンはより太くかさばることになる。したがって、筆記者が異なる色のペンまたはマーカーの一式を使用していた場合に利用可能である色数よりも、このようなペンで利用可能な色数は、おそらくはるかに少ない。
【０００９】
【発明が解決しようとする課題】
したがって、比較的コンパクトなパッケージで、書くことができる様々な異なる色をユーザに提供する筆記用具が、当業界において必要である。
本発明は、ユーザが制御した色で書くための手持ち式筆記用具、および上述の筆記用具の出力色を制御する方法を提供する。
【００１０】
【課題を解決するための手段】
本発明は、特に、ユーザが制御した色で書くための手持ち式筆記用具を提供する。筆記用具は好ましくは、それぞれが異なる色のインクを保持する少なくとも３つのインクチャンバを備えるインクカートリッジ、制御比でチャンバからのインクを放出するためのインクチャンバに連結されたノズル、およびノズルに連結されてノズルを介してインクの放出を制御するプロセッサを具備する。インクカートリッジ、インクジェットノズルおよびプロセッサはすべて、手持ち式筆記用具の細長いハウジングに組み込まれることが好ましい。
【００１１】
転写部材は、ノズルからインクを受け取り、インクを筆記表面に転写するために使用され得る。オプションとして、ノズルからのインクが放出されて混ぜ合わされるミキシングチャンバが使用され得る。ミキシングチャンバが使用される場合、ミキシングチャンバ内のインクを感知してミキシングチャンバ内のインク量を示す信号をプロセッサに出力するために、センサが用いられ得る。
【００１２】
色入力インターフェースが筆記用具に具備される場合があり、それによりユーザは筆記用具の出力色を指定することができる。次に出力色は、適切な制御比でインクチャンバからのインクを混ぜ合わせることによって生成される。一実施形態において、色入力インターフェースは、それぞれがインクチャンバのうちの１つおよびそれらのインクチャンバの内部に含まれるインクの色に対応する３つのボタンを具備する。
【００１３】
さらにまたは代替的に、筆記用具は、プロセッサに連結されたスキャナを用い得る。このスキャナは、色をサンプル化して、サンプル色を作る３つの基本色成分の特定比をプロセッサに出力する。次にプロセッサは、インクチャンバからのインクを放出する制御比として特定比を用いて、サンプル色を筆記用具を用いて複製する。
【００１４】
さらにまたは代替的に、筆記用具は、筆記用具とホスト電子装置との間にインターフェースを具備し、制御比の指定（すなわち、所望の出力色）をホスト装置から受信し得る。このインターフェースは、たとえば、無線周波数ワイヤレスインターフェース、赤外線ワイヤレスインターフェースまたは有線インターフェースであり得る。ホスト装置は、たとえば、コンピュータまたは個人情報端末であり得る。
【００１５】
本発明はまた、上述の筆記用具を製造および使用する方法を包含する。たとえば、本発明は、手持ち式筆記用具の細長いハウジング内の３つのインクチャンバからの異なる色のインクを混ぜることによって、手持ち式筆記用具の出力色を制御する方法を包含する。インクは、所望の出力色の出力インクを調整するために制御比で混ぜ合わされる。
【００１６】
添付の図面は、本発明の好ましい実施形態を例示し、本明細書の一部である。以下の説明とともに、図面により本発明の原理を実証し説明する。
【００１７】
図面を通して、同一の要素は同一の参照番号により示される。
【００１８】
【発明の実施の形態】
本発明は、３つのカラーインクチャンバ（シアン（Ｃ）、黄（Ｙ）、マゼンタ（Ｍ））を組み込む筆記用具、たとえば、ペンを提供する。３つのチャンバからのインクは、様々な比率で混ぜ合わせられて、あらゆる考えられる色の出力インクを提供する。インクジェットノズル、好ましくはサーマルインクジェットノズルは、チャンバからインクを出力するために使用される。インクは、ミキシングチャンバからローラボール上または他の転写部材上へ、または筆記媒体（writing medium）へ直接出力され得る。したがって、ペンによって出力されるインクは、ユーザがあらゆる所望の色に調節することができる。
【００１９】
図面を使用して、ここで本発明の好ましい実施形態を説明する。
【００２０】
図１は、本発明による筆記用具の第１の好ましい実施形態を例示する。図１に示すように、本発明は、器具が出力するインク１０８の色をユーザが制御することができるペン１００または他の筆記用具で具現化され得る。
【００２１】
ペン１００は少なくとも３つカラーインクチャンバ１０２を、好ましくは略円筒状ハウジング１１１に組み込む。インクチャンバ１０２はそれぞれ異なる色のインクを含む。好ましくは、１つのチャンバがマゼンタのインク、１つのチャンバが黄色のインク、そして３つ目のチャンバがシアンのインクを含む。これらの３つのチャンバからのインクは、様々な比率で混ぜられて、あらゆる考えられる色のインクを生成する。
【００２２】
チャンバ１０２は、空の場合に交換または充填されることができる取り外し可能なカートリッジと一体化されることが好ましい。より好ましくは、１つの色が他の色よりも多く使用されがちであり得るため、各チャンバ１０２（図２を参照）は、個々に交換または充填されることができる。
【００２３】
チャンバ１０２のそれぞれは、インクジェットノズルまたはノズルアレイ１０５に連結される。これらは、インクを加熱してインクを膨張させて放出することによって制御した量でインクを噴出するサーマルインクジェットノズル１０５であることが好ましい。
【００２４】
すべてのチャンバ１０２のインクは、ミキシングチャンバ１０６へ噴出され得る。インクは、ターゲット色のインクを得るのに必要な比率でミキシングチャンバ１０６において混ぜ合わされる。
【００２５】
次に、転写要素１０７を用いてミキシングチャンバ１０６から筆記表面へ混ぜ合わせたインクを転写することができる。転写要素１０７は、たとえばボールペンにおけるようなボールであり得る。転写要素１０７は、また、ミキシングチャンバ１０６からインクを吸収し、その後ユーザによる圧力下で筆記表面にインクを放出する多孔性要素、たとえばスポンジまたはフェルトチップであり得る。多孔性転写要素よりむしろボールを使用して色混合物同士を切り替える方がおそらく容易であろう。しかしながら、いかなる転写要素も本発明の範囲内である。
【００２６】
バッテリー１０３は、インクジェットノズル１０５のための、およびペン１００の電子装置のための電力を供給する。電子装置または回路１１０は、ペン１００から出る混合インクの色を制御する。
【００２７】
好ましくはペン１００の上部付近は、電子装置１１０によってサポートされるユーザ入力デバイス１０１である。ユーザ入力デバイス１０１を用いて、ユーザはペン１００から出る混合インクの色を制御することができる。
【００２８】
例示の実施形態において、このユーザ入力デバイス１０１は、それぞれが作動すると混合インクにおける３つの色成分のうちの１つの比率を変更する、３つのボタンから成る。たとえばユーザは、ペン１００からの色をより青くしたい場合に、「青」のボタン、すなわちインクカートリッジ（インクチャンバ）１０２のシアンのインクに対応するボタンを作動させる。したがって、シアンのインクがミキシングチャンバ１０６内の混合物に加えられる比率が増加するであろう。
【００２９】
各色のインクがミキシングチャンバ１０６へ放出される比率または量は、インクジェットノズル１０５付近に位置し、出力インク１０８の所望の色にしたがってノズル１０５を駆動する別の電子装置１１０によって制御される。ユーザ入力デバイスをサポートする電子装置は、インクジェットノズルを駆動する電子装置と通信し、出力インク１０８の所望の色を提供する。
【００３０】
リセットボタン（リセットスイッチ）１０４は、ペンの電子装置１１０の一部として提供されることが好ましい。リセットボタン１０４が作動されると、ペンによって出力されている色は、デフォルト（初期設定）、たとえば黒または青にリセットされる。
【００３１】
図２は、ペン１００の内部構成要素、特に電子装置をより詳細に例示する。図２に示すように、少なくとも３つのインクチャンバは、図１に示すペンのインクカートリッジ１０２へ組み合わされる。インクジェットノズル１０５は、上述のようにミキシングチャンバ１０６へ制御した方法でこれらのインクチャンバ１０２からのインクを放出する。
【００３２】
プロセッサ２０２は、インクジェットノズル１０５を制御する。プロセッサ２０２は、筆記用具によって出力される色を定める色入力インターフェース２０１からの入力を受信する。色入力インターフェース２０１は、図１で例示し説明した３つのボタンからなるユーザインターフェース、またはユーザが出力インク１０８の色を制御することができるあらゆる他の入力デバイスとすることができる。たとえば、色入力デバイス２０１は、混合出力インク１０８に寄与する各色のインク量の数値表示またはパーセンテージ表示を提供する小型ディスプレイ、および出力インク１０８の各色成分の比率を選択し調整するためのダイアル、ボタン、ノブ、または他の装置を備え得る。
【００３３】
センサ２０３は、ミキシングチャンバ１０６内のインクレベルを監視し、書くための最適レベルが維持されることを確実にするために、ミキシングチャンバ１０６に設けられ得る。センサ２０３は、プロセッサ２０２に通知し、それに応じてプロセッサはジェット１０５を通るインクの流れを増減することができる。
【００３４】
最後に、プロセッサ２０２は、また、リセットスイッチ１０４の作動の際に当該リセットスイッチ１０４から信号を受信する。この信号により、プロセッサ２０２は、ミキシングチャンバ１０６へ放出されているインクの比率をリセットし、デフォルト色、たとえば、黒または青を提供する。次にプロセッサ２０２は、新しい混合物、すなわち新しい色についてのパラメータを指定する新しい入力が色入力インターフェース２０１から受信されるまで、このデフォルト色を維持する。
【００３５】
図３は、本発明による筆記用具の第２の例示的な実施形態を示す。図３の実施形態は、図１の実施形態と多くの点で略同様である。したがって、同一または略同一な構成要素の冗長な説明は省略する。
【００３６】
図３に示すように、ミキシングチャンバ１０６（図１）は省略することができる。インクジェットノズル１０５は、転写部材１０７、たとえばボールポイント（先端にあるボール、ballpoint）上に直接噴射することができる。次にインクは、筆記表面へ転写部材１０７によって転写されながら混ぜ合わされる。その結果、所望の出力インク１０８が生じる。
【００３７】
この実施形態はミキシングチャンバを組み込む費用を節約するが、したがって、生じる出力インク１０８は、図１の実施形態におけるようにミキシングチャンバが使用される場合ほど十分に混ぜ合わされないか、またはそれほど平滑に流れ得ないことも理解されるであろう。
【００３８】
さらに、具体的には例示していない第３の実施形態において、転写部材１０７を省略することもできる。インクジェットノズル１０５により、筆記表面上に直接噴射させることができ、出力インク１０８が筆記表面上で直接混ぜ合わされる。ここでもまた、このような実施形態は、ミキシングチャンバおよび転写部材の両方のコストを節約するが、結果として混合物の品質を悪化させインクの流れの平滑さが減少する。
【００３９】
図４は、本発明による筆記用具の第４の例示的な実施形態を示す。ここでも、また、図４の実施形態は、図１および図３の実施形態と多くの点で、略同様である。したがって、同一または略同一の構成要素の冗長な説明は省略する。
【００４０】
図４の実施形態では、出力インク１０８の所望色を入力するさらなる手段が追加される。図４の実施形態は、スキャナ１５１を組み込む。このスキャナ１５１は３つの素子からなる電荷結合デバイス（ＣＣＤ）アレイであることが好ましい。３つの素子それぞれは、特定の波長の光子、すなわち色を検出する。
【００４１】
したがって、スキャナ１５１が色をスキャンするとき、ＣＣＤアレイの３つの素子が、走査した色における３原色それぞれの比率を示す信号を出力するであろう。したがってペン１００ｂは、スキャナ１５１によって走査された色を再現するために、カートリッジ（インクチャンバ）１０２のそれらの３色のインクの比率を複製するようにプログラムすることができる。
【００４２】
したがって、ユーザはあらゆる手近にあるオブジェクトからスキャナ１５１を用いて色をサンプル化することができる。次にペン１１０ｂは、そのサンプル色で書けるであろう。これは、先行実施形態のユーザ入力デバイス１０１を通してユーザが所望する色をプログラム入力するよりも、容易で時間がかからない。しかしながら、ユーザ入力デバイス１０１もまた、図４に示すようなスキャナ１５１とともに、ペン１００ｂ内に組み込むことができる。このように、ユーザは、走査するための所望の色のサンプルが手近にない場合でも、所望の色を依然としてダイヤル入力することができる。
【００４３】
図５は、スキャナ１５１を備えるペン１１０ｂの電子装置および内部構成要素をより詳細に示す。図５に示すように、スキャナ１５１の出力はプロセッサ２０２へ供給される。プロセッサ２０２は、スキャナ１５１の出力を使用してサンプル色の３つの基本色成分それぞれの比率を決定する。次に、プロセッサ２０２は、インクジェットノズル１０５を適切に制御して、出力インクにてサンプル色を再現する。
【００４４】
さらに、複製中の走査した色は常に、リセット（リセットボタン、リセットスイッチ）１０４の作動によってリセットすることができる。すべての実施形態において、リセット１０４は、ボタン、キー、スイッチ等であり得る。リセット後、新しい色をスキャナ１５１を用いて走査するか、またはカスタム色（custom color）を上述のように色入力インターフェース２０１を用いて入力することができる。
【００４５】
図６は、本発明による筆記用具の第５の例示的な実施形態を示す。ここでも、また、図６の実施形態は、前述の実施形態と多くの点で略同様である。したがって、同一または略同一の構成要素の冗長な説明は省略する。
【００４６】
図６に示すように、本発明による筆記用具１０１ｃは、筆記用具が別の電子ホスト装置に接続することを可能にするインターフェース１５０を備え得る。ホスト装置は、たとえばコンピュータまたはコンピュータ端末１６０、ラップトップ１６１、または個人情報端末（ＰＤＡ）またはパームトップコンピュータ１６２または他の電子装置、たとえばスキャナ等であり得る。
【００４７】
ペン１０１ｃが書けるカスタム色は、ユーザインターフェースおよびホスト装置のソフトウェア（たとえば、１６０、１６１、１６２）を使用して定めることができる。次に、このカスタム色は、インターフェース１５０を介してペン１０１ｃへ通信されて、ペン１０１ｃが再現する。
【００４８】
インターフェース１５０は、たとえば無線周波数（ＲＦ）ワイヤレスインターフェース、赤外線（ＩＲ）ワイヤレスインターフェースまたは有線インターフェースとすることができる。多くのラップトップおよびＰＤＡは一般に、デジタルデータを送信するＩＲトランシーバを組み込む。したがって、ホスト装置（たとえば、１６０、１６１、または１６２）から色定義データ（color-defining data）を受信するＩＲトランシーバをペン１０１ｃ内に具備することは比較的容易であるだろう。
【００４９】
有線インターフェースを用いて、ワイヤまたはケーブルをホスト装置（たとえば、１６０、１６１、または１６２）からペン１０１ｃへ接続することができ得る。このワイヤは、ペン１０１ｃとホスト装置との間で通信するために特に設計された非標準のケーブルであり得る。あるいは、ワイヤは、標準ケーブル、たとえばユニバーサルシリアルバス（ＵＳＢ）、ＩＥＥＥ１３９４バス〔別名、ファイアーワイヤー（Ｆｉｒｅｗｉｒｅ）〕または電子装置間の他の標準的な接続であり得る。
【００５０】
プロセッサ２０２は、インターフェース１５０を通してホスト装置（たとえば、１６０、１６１、または１６２）から入力を受信するであろう。この入力は、出力インクの所望の色を定めるであろう。次に、プロセッサ２０２は、それに応じてインクジェットノズル１０５を制御して、特定の色のインクを生成するであろう。
【００５１】
図７は、本発明の任意の先行の実施形態またはあらゆる他の実施形態において実施することができる本発明の特徴を示す。図７に示すように、筆記用具の先端は、感圧性先端１０７ａを組み込む。感圧性センサ１０７ａは、プロセッサ２０２に信号１７０を送信する。プロセッサ２０２は、感圧性先端１０７ａからの圧力信号１７０が先端１０７ａにかかる最小圧力を示さない限り、インクジェットノズル１０５を駆動してインクを分散することはないであろう。したがって、先端１０７ａにかかる最小閾値（閾値は、設計上の選択によって決定することができる）よりも高い圧力は、筆記用具１００がインクを放出し始める前に必要である。
【００５２】
先行の説明は、単に本発明を例示し説明するために提示されてきた。これは、包括的であること、すなわちいかなる開示された厳密な形態にも本発明を限定することを意図しない。多くの変更および変形が上記教示を鑑みて可能である。
【００５３】
本発明の原理およびその実用的な用途を最良に説明するために、好ましい実施形態が選択され説明された。先行の説明は、当業者が、様々な実施形態において、および考えられる特定の使用に適した様々な変更を用いて、本発明を最良に利用することを可能にすることを意図する。本発明の範囲は併記の特許請求の範囲によって限定されることを意図する。
【００５４】
以上本発明の各実施例について説明したが、実施例の理解を容易にするために、実施例ごとの要約を以下に列挙する。
[  １  ]   ユーザが制御した色で書くための手持ち式筆記用具１００であって、
それぞれが異なる色のインクを保持する複数のインクチャンバを備えるインクカートリッジ  １０２と、制御比で前記チャンバからインクを放出するための、前記インクチャンバに連結  されたノズル１０５と、前記ノズル１０５を介してインクの放出を制御するための、前記ノ  ズル１０５に動作可能に連結されたプロセッサ２０２とを備え、前記インクカートリッジ１  ０２、前記インクジェットノズル１０５、および前記プロセッサ２０２は、すべて、前記手  持ち式筆記用具１００の細長いハウジングへ組み込まれる、手持ち式筆記用具。
[  ２  ]    前記筆記用具１００の感圧性先端１０７ａであって、該感圧性先端１０７ａは、前記プロセッサ２０２に動作可能に連結されることによって、該感圧性先端１０７ａにかかる圧力が所定の閾値よりも高い該感圧性先端１０７ａによって通知されない限り、該プロセッサ２０２が前記ノズル１０５を制御してインクの放出を防ぐことができる、感圧性先端１０７ａをさらに備える[  １  ]に記載の筆記用具
[  ３  ]   前記ノズル１０５からインクを受け取るための、前記ノズル１０５に連結したミキシングチャンバ１０６をさらに備える[  １  ]に記載の筆記用具。
[  ４  ]   前記ミキシングチャンバ１０６内のインクを感知して、該ミキシングチャンバ１０６内のインク量を示す信号を前記プロセッサ２０２に出力するための、センサ２０３をさらに備える[  ３  ]に記載の筆記用具。
[  ５  ]   色をサンプル化し、前記サンプル色を作る３つの基本色成分の特定比を前記プロセッサ２０２に出力するための、前記プロセッサ２０２に連結されたスキャナ１５１であって、前記プロセッサ２０２は、前記チャンバ１０２からインクを放出するための前記制御比として、前記特定比を使用して、前記筆記用具１００を用いて前記サンプル色を複製するように構成される、スキャナ１５１をさらに備える[  １  ]に記載の筆記用具。
[  ６  ]   手持ち式筆記用具１００の出力色を制御する方法であって、前記手持ち式筆記用具１００の細長いハウジング内で、前記出力色の出力インクを調製するために制御比で少なくとも３つのインクチャンバ１０２からの異なる色のインクを混ぜることを含む方法。
[  ７  ]   転写部材１０７を用いて筆記表面（writing surface）に前記出力インクを転写することをさらに含む[  ６  ]に記載の方法。
[  ８  ]   前記筆記用具１００の色入力インターフェース２０１を介して前記出力色を特定することをさらに含む[  ６  ]に記載の方法。
[  ９  ]   光学式スキャナ１５１を用いて色をサンプル化することによって前記出力色を特定すること、および前記サンプル色と前記出力色を一致させることをさらに備える[  ６  ]に記載の方法。
[  １０  ]   前記出力色を定義するデータを、ホスト電子装置（たとえば、１６０〜１６２）から前記筆記用具１００へ送信することによって、前記出力色を特定することをさらに含む[  ６  ]に記載の方法。
【００５５】
【発明の効果】
本発明によれば、ペンによって出力されるインクは、ユーザがあらゆる所望の色に調節することができる。
【図面の簡単な説明】
【図１】本発明の原理による筆記用具の好ましい実施形態の図である。
【図２】図１に示した筆記用具の概略図である。
【図３】本発明の原理による筆記用具の第２の好ましい実施形態の図である。
【図４】本発明の原理による色サンプルスキャナを備える筆記用具の第３の好ましい実施形態の図である。
【図５】図４に示した筆記用具の概略図である。
【図６】本発明の原理による別の電子装置へのインターフェースを備える筆記用具の第４の好ましい実施形態の概略図である。
【図７】感圧性先端を備える本発明による筆記用具の概略図である。
【符号の説明】
１００    ペン
１０１    ユーザ入力デバイス
１０２    カラーインクチャンバ（インクカートリッジ）
１０３    バッテリー
１０４    リセットスイッチ（リセット、リセットスイッチ）
１０５    インクジェットノズル
１０６    ミキシングチャンバ
１０７    転写部材
１５０    (ＲＦ，ＩＲ，ワイヤ)インターフェース
１５１    スキャナ
２０１    色入力インターフェース
２０２    プロセッサ
２０３    センサ
【図１】
0004023606.tif 000002
【図２】
0004023606.tif 000003
【図３】
0004023606.tif 000004
【図４】
0004023606.tif 000005
【図５】
0004023606.tif 000006
【図６】
0004023606.tif 000007
【図７】
0004023606.tif 000008